【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
透過型の頭部装着型表示装置であって、
画像を表示して前記頭部装着型表示装置を装着した利用者に画像を視認させるとともに、外景を透過し得る画像表示部と、
前記頭部装着型表示装置の利用環境を判定する利用環境判定部と、
前記判定された利用環境に応じて、前記頭部装着型表示装置に搭載された所定の機能の少なくとも一部を変更する処理制御部と、
を備える頭部装着型表示装置。
【請求項２】
請求項１に記載の頭部装着型表示装置であって、
前記利用環境は、前記頭部装着型表示装置が移動することによって切り替わる利用環境である、頭部装着型表示装置。
【請求項３】
請求項１または請求項２に記載の頭部装着型表示装置であって、
撮影を行う撮影部を備え、
前記利用環境判定部は、
前記撮影部によって得られた撮影画像に基づいて、前記利用環境を判定する、頭部装着型表示装置。
【請求項４】
請求項３に記載の頭部装着型表示装置であって、
前記利用環境判定部は、
前記撮影部によって得られた撮影画像内に、特定の利用環境を認識するためのマーカーが含まれたときに、前記特定の利用環境であると判定する、頭部装着型表示装置。
【請求項５】
請求項１または請求項２に記載の頭部装着型表示装置であって、
前記利用環境判定部は、
外部の無線通信端末からの信号に基づいて、前記利用環境を判定する、頭部装着型表示装置。
【請求項６】
請求項１から請求項５までのいずれか一項に記載の頭部装着型表示装置であって、
前記所定の機能は、カメラ部によって望遠撮影を行う望遠撮影機能である、頭部装着型表示装置。
【請求項７】
請求項６に記載の頭部装着型表示装置であって、
前記利用環境として、競技場内の特定の座席環境を少なくとも含み、
前記処理制御部は、
前記利用環境判定部によって前記特定の座席環境であると判定されたときに、前記望遠撮影機能をオンして前記カメラ部による望遠撮影を行う、頭部装着型表示装置。
【請求項８】
請求項７に記載の頭部装着型表示装置であって、
前記頭部装着型表示装置が前記競技場外に移動したことが検出されたときに、前記望遠撮影によって記録された撮影画像を消去する消去部を備える、頭部装着型表示装置。
【請求項９】
請求項１から請求項５までのいずれか一項に記載の頭部装着型表示装置であって、
前記処理制御部は、
前記利用環境判定部によって所定の利用環境であると判定されたときに、所定のデータを取得して記憶部に保存し、
前記利用環境判定部によって前記所定の利用環境から外れたと判定されたときに、前記所定の利用環境で前記記憶部に保存された前記所定のデータを消去する、頭部装着型表示装置。
【請求項１０】
請求項１から請求項５までのいずれか一項に記載の頭部装着型表示装置であって、
前記所定の機能は、前記画像表示部に所定の情報を表示させる情報提示機能である、頭部装着型表示装置。
【請求項１１】
請求項１０に記載の頭部装着型表示装置であって、
前記利用環境として、劇場内の特定の座席環境を少なくとも含み、
前記処理制御部は、
前記利用環境判定部によって前記特定の座席環境であると判定されたときに、前記劇場での上演作品に係わる情報を前記所定の情報として表示させる、頭部装着型表示装置。
【請求項１２】
請求項１０に記載の頭部装着型表示装置であって、
前記利用環境として、映画館内の特定の座席環境を少なくとも含み、
前記処理制御部は、
前記利用環境判定部によって前記特定の座席環境であると判定されたときに、字幕を前記所定の情報として表示させる、頭部装着型表示装置。
【請求項１３】
請求項１２に記載の頭部装着型表示装置であって、
前記映画館内の特定の座席環境として、第１の座席環境と第２の座席環境とを有し、
前記処理制御部は、
前記利用環境判定部によって前記第１の座席環境であると判定されたときに、第１の言語にて記した前記字幕を表示させ、前記利用環境判定部によって前記第２の座席環境であると判定されたときに、前記第１の言語とは相違する第２の言語にて記した前記字幕を表示させる、頭部装着型表示装置。
【請求項１４】
請求項１から請求項５までのいずれか一項に記載の頭部装着型表示装置であって、
前記利用環境として、高レベルのセキュリティーを必要とするセキュリティー環境を少なくとも含み、
前記処理制御部は、
前記利用環境判定部によって前記セキュリティー環境であると判定されたときに、所定のアプリケーションの実行を許可し、前記利用環境判定部によって前記セキュリティー環境でないと判定されたときに、前記所定のアプリケーションの実行を禁止する、頭部装着型表示装置。
【請求項１５】
画像を表示して利用者に画像を視認させるとともに外景を透過し得る画像表示部を有する透過型の頭部装着型表示装置の制御方法であって、
前記頭部装着型表示装置の利用環境を判定し、
前記判定された利用環境に応じて、前記頭部装着型表示装置に搭載された所定の機能の少なくとも一部を変更する、頭部装着型表示装置の制御方法。
【請求項１６】
画像を表示して利用者に画像を視認させるとともに外景を透過し得る画像表示部を有する透過型の頭部装着型表示装置を制御するためのコンピュータープログラムであって、
コンピューターに、
前記頭部装着型表示装置の利用環境を判定する機能と、
前記判定された利用環境に応じて、前記頭部装着型表示装置に搭載された所定の機能の少なくとも一部を変更する機能と、
を実現させる、コンピュータープログラム。
【手続補正２】
【補正対象書類名】明細書
【補正対象項目名】００１８
【補正方法】変更
【補正の内容】
【００１８】
（１３）前記形態の頭部装着型表示装置において、前記映画館内の特定の座席環境として、第１の座席環境と第２の座席環境とを有し、前記処理制御部は、前記利用環境判定部によって前記第１の座席環境であると判定されたときに、第１の言語にて記した前記字幕を表示させ、前記利用環境判定部によって前記第２の座席環境であると判定されたときに、前記第１の言語とは相違する第２の言語にて記した前記字幕を表示させるようにしてもよい。この形態の頭部装着型表示装置によれば、映画館内の第１の座席環境に移行したときに第１の言語によって字幕を受けることができ、映画館内の第２の座席環境に移行したときに第２の言語によって字幕を受けることができる。したがって、座席環境に応じて、字幕の言語を容易に切り替えることができる。
【手続補正３】
【補正対象書類名】明細書
【補正対象項目名】００６６
【補正方法】変更
【補正の内容】
【００６６】
ＨＭＤ１００を装着した利用者は、スタジアム内において、コードリーダーアプリ５１４を起動して、入場時に提示したチケットＴＣに視線を向ける。コードリーダーアプリ５１４は、ＨＭＤ１００の待ち受け画面（図３参照）に配置された［コードリーダー］アイコンＩＣを選択する所定の操作を入力情報取得部１１０が受け付けることによって起動される。コードリーダーアプリ５１４を実行するＨＭＤ１００は、外景撮影用カメラ６１によって撮影を行い、得られた撮影画像の中にＱＲコードが含まれる場合に、そのＱＲコードを元の情報に復元し、その元情報を表示する。すなわち、ＣＰＵ１４０は、撮影画像の中にＱＲコードが含まれる場合に、ＱＲコードとしてコード化された情報を画像表示部２０に表示させる。
【手続補正４】
【補正対象書類名】明細書
【補正対象項目名】００６７
【補正方法】変更
【補正の内容】
【００６７】
図６は、サッカー観戦用のチケットＴＣに視線を向けてＱＲコードＣ３の読み取りがなされたときに、利用者に視認される情報の一例を示す説明図である。図６では、利用者の視野ＶＲ１を例示している。視野ＶＲ１には、図示するように、スタジアム内の外景ＳＣ１が含まれている。また、外景ＳＣ１に重畳して、コード情報表示領域ＡＲ１が表示される。コード情報表示領域ＡＲ１には、ＱＲコードＣ３の元情報である観戦補助アプリ起動情報Ｄ１と座席情報Ｄ２が含まれる。
【手続補正５】
【補正対象書類名】明細書
【補正対象項目名】００６８
【補正方法】変更
【補正の内容】
【００６８】
利用者は、観戦補助アプリ起動情報Ｄ１を選択する所定の操作を、タッチパッド１４や十字キー１６を用いて行う。その所定の操作を入力情報取得部１１０が受け付けることによって、ＨＭＤ１００は、観戦補助アプリ５１１（図４）を起動することができる。具体的には、ＨＭＤ１００は、観戦補助アプリ起動情報Ｄ１に記されたＵＲＬを辿って観戦補助アプリをインストールし、インストールされた観戦補助アプリ５１１（図４）を起動する。なお、観戦補助アプリ５１１は、予め内蔵された構成としてもよい。なお、本実施形態では、ＱＲコードＣ３は、サッカー観戦用のチケットＴＣに記したものとしたが、これに換えて、スタジアム内の各座席に予め貼り付けた構成としてもよい。すなわち、各座席には、各座席に対応した座席情報Ｄ２を有するＱＲコードをそれぞれ貼り付けた構成とすることができる。
【手続補正６】
【補正対象書類名】明細書
【補正対象項目名】００７０
【補正方法】変更
【補正の内容】
【００７０】
処理が開始されると、ＣＰＵ１４０は、まず、ＱＲコードＣ３を読み取ることによって得られた、前述したにコード化された座席情報Ｄ２を、記憶部１２０（図２）の所定のエリアに記憶する（ステップＳ１１０）。なお、観戦補助アプリ５１１を起動するに際し、ＱＲコードＣ３の読み取りを行わなかった場合には、座席情報Ｄ２をタッチパッド１４や十字キー１６を用いて入力するようにしてもよい。
【手続補正７】
【補正対象書類名】明細書
【補正対象項目名】００８２
【補正方法】変更
【補正の内容】
【００８２】
処理が開始されると、ＨＭＤ６００のＣＰＵは、まず、ＢＬＥ端末６１０からｉＢｅａｃｏｎの信号を感知したか否かを判定する（ステップＳ２１０）。ＣＰＵ１４０は、ｉＢｅａｃｏｎの信号を感知するまでステップＳ２１０の処理を繰り返し実行し、ステップＳ２１０で感知されたと判定されると、感知した信号に保持される距離が所定値（例えば、７ｍ）未満であるか否かを判定する（ステップＳ２２０）。距離が所定値未満であるか否かの判定は、ＨＭＤ６００を装着した利用者の座席が、劇場の後部側の所定範囲に含まれるか否かを判定するためのものである。すなわち、距離が所定値未満であるか否かの判定は、ＨＭＤ６００の利用環境が後部座席という座席環境にあるか否かを判定する。ここで、距離が所定値未満でないと判定された場合、ＣＰＵ１４０は、ステップＳ２１０に処理を戻す。
【手続補正８】
【補正対象書類名】明細書
【補正対象項目名】００８３
【補正方法】変更
【補正の内容】
【００８３】
ステップＳ２２０で、距離が所定値未満であると判定された場合には、ＨＭＤ６００の利用環境が後部座席の環境に移行したとして、ＣＰＵ１４０は、アプリケーション層５１０（図４）に含まれる音声処理部フレーム５２３とカメラアプリ５１３とをロックする（ステップＳ２３０、Ｓ２４０）。音声処理部フレーム５２３は、ＨＭＤ６００の音声の出力の全てを担うために、音声処理部フレーム５２３がロックされることで、ＨＭＤ６００からの音声の出力は全て消される（ミュートされる）。
【手続補正９】
【補正対象書類名】明細書
【補正対象項目名】００８４
【補正方法】変更
【補正の内容】
【００８４】
一方、外景撮影用カメラ６１を用いた撮影機能については、カメラアプリ５１３以外にも、アプリケーション層５１０に含まれる他のアプリによるマーカー認識処理（第１実施形態におけるＱＲコードを認識する処理等）にも含まれるが、本実施形態では、カメラアプリ５１３による撮影は禁止され、マーカー認識処理に従う撮影は禁止されることはない（すなわち、許可される）。すなわち、本実施形態では、盗撮を目的として利用可能なカメラアプリ５１３による撮影を禁止し、盗撮として利用できないマーカー認識処理に従う撮影は許可するようにした。なお、変形例として、ライブラリー層５３０に含まれるカメラライブラリー５３６をロックして、全ての撮影を禁止するようにしてもよい。
【手続補正１０】
【補正対象書類名】明細書
【補正対象項目名】００８９
【補正方法】変更
【補正の内容】
【００８９】
映画館内の第１の位置には第１のＢＬＥ端末７１０が配置されており、映画館内の第１の位置とは相違する第２の位置には第２のＢＬＥ端末７２０が配置されている。各ＢＬＥ端末７１０、７２０からｉＢｅａｃｏｎの信号が出力される。ｉＢｅａｃｏｎの信号には、ＢＬＥ端末７１０、７２０を識別するためのＢＬＥ端末識別番号と、各ＢＬＥ端末７１０、７２０までの距離とが少なくとも保持される。ＨＭＤ７００を装着した利用者は、映画館内に入ると、まず、映画鑑賞補助アプリを起動する。
【手続補正１１】
【補正対象書類名】明細書
【補正対象項目名】００９１
【補正方法】変更
【補正の内容】
【００９１】
処理が開始されると、ＨＭＤ７００のＣＰＵは、まず、２つのＢＬＥ端末７１０、７２０のうちの少なくとも一方から、ｉＢｅａｃｏｎの信号を感知したか否かを判定する（ステップＳ３１０）。ＣＰＵ１４０は、ｉＢｅａｃｏｎの信号を感知するまでステップＳ３１０の処理を繰り返し実行し、ステップＳ３１０で感知されたと判定されると、感知した信号に保持される距離が所定値（例えば、５ｍ）未満であるか否かを判定する（ステップＳ３２０）。なお、複数のｉＢｅａｃｏｎの信号を感知した場合には、保持される距離が短い方の信号を上記「感知した信号」とみなす。距離が所定値未満であるか否かの判定は、ＨＭＤ７００を装着した利用者の座席が、第１のＢＬＥ端末７１０が配置された第１の位置を中心とする、半径が前記所定値である第１の範囲Ｅ１と、第２のＢＬＥ端末７２０が配置された第２の位置を中心とする、半径が前記所定値である第２の範囲Ｅ２とのいずれか一方に含まれるか否かを判定するためのものである。すなわち、距離が所定値未満であるか否かの判定は、ＨＭＤ７００の利用環境が第１の範囲Ｅ１または第２の範囲Ｅ２に含まれるか否かを判定する。ここで、距離が所定値未満でないと判定された場合、ＣＰＵ１４０は、ステップＳ３１０に処理を戻す。
【手続補正１２】
【補正対象書類名】明細書
【補正対象項目名】００９２
【補正方法】変更
【補正の内容】
【００９２】
ステップＳ３２０で、距離が所定値未満であると判定された場合には、ＨＭＤ７００の利用環境が第１の範囲Ｅ１または第２の範囲Ｅ２に含まれる環境に移行したとして、ＣＰＵ１４０は、アプリケーション層５１０（図４）に含まれる音声処理部フレーム５２３とカメラアプリ５１３とをロックする（ステップＳ３３０、Ｓ３４０）。このステップＳ３３０およびＳ３４０は、第２実施形態のステップＳ２３０およびＳ２４０（図１０）と同一である。
【手続補正１３】
【補正対象書類名】明細書
【補正対象項目名】００９３
【補正方法】変更
【補正の内容】
【００９３】
ステップＳ３３０の実行後、ＣＰＵ１４０は、感知した信号に保持されるＢＬＥ端末識別番号に対応した言語の字幕の表示を開始する（ステップＳ３５０）。本実施形態では、映画館内の第１の範囲Ｅ１では字幕を日本語で表示し、映画館内の第２の範囲Ｅ２では字幕を中国語で表示するように、予め定められていう。このため、ステップＳ３５０では、感知した信号に保持されるＢＬＥ端末識別番号が第１のＢＬＥ端末７１０を示すものであるときには、日本語の字幕の表示を開始し、感知した信号に保持されるＢＬＥ端末識別番号が第２のＢＬＥ端末７１０を示すものであるときには、中国語の字幕の表示を開始する。ステップＳ３５０の実行後、鑑賞補助ルーチンを終了するが、上記の開始された字幕の表示は、上映が終了するまで継続される。
【手続補正１４】
【補正対象書類名】明細書
【補正対象項目名】００９６
【補正方法】変更
【補正の内容】
【００９６】
Ｄ．第４実施形態：
図１３は、本発明の第４実施形態に係るＨＭＤの使用形態を示す説明図である。第４実施形態に係るＨＭＤ８００は、第１実施形態に係るＨＭＤ１００と比較して、アプリ実行制限アプリケーションを備える点が相違し、残余の点では同一である。第４実施形態に係るＨＭＤ８００は、高レベルのセキュリティーを必要とするセキュリティールーム８２０を含むオフィス８１０において使用される。セキュリティールーム８２０の中央には、ＢＬＥ端末８３０が設けられている。ＢＬＥ端末８３０とＨＭＤ８００との間の距離か所定値（例えば、５ｍ）未満となったときに、ＨＭＤ８００を装着した利用者がセキュリティールーム８２０に入ったものとみなす。ＨＭＤ８００は、ＢＬＥ端末８３０からの距離が所定値未満と判定されたときに、所定のアプリケーションプログラムの実行を許可するとともに、所定のネットワークへの接続を許可するようにする。一方、ＢＬＥ端末８３０からの距離が所定値以上と判定されたとき、またはＢＬＥ端末８３０からのｉＢｅａｃｏｎの信号を感知できなかったときには、前記所定のアプリケーションプログラムの実行を禁止するとともに、所定のネットワークへの接続を禁止する。
【手続補正１５】
【補正対象書類名】明細書
【補正対象項目名】０１００
【補正方法】変更
【補正の内容】
【０１００】
具体的には、例えば、電車の中、車の中、飛行機の中などのパブリックスペースへの移行が検出されたときに、カメラアプリ５１３がロックされる構成として、盗撮防止を図るようにしてもよい。例えば、会社への移動が検出されたときに、業務用のアプリケーションプログラムの実行を許可するようにしてもよい。例えば、航空機の中という環境では、妨害電波の基となる携帯電話、無線ＬＡＮの使用を禁止し、航空機の電子機器への影響の少ないＢｌｕｅｔｏｏｔｈ、ｉＢｅａｃｏｎを利用可能とするようにしてもよい。例えば、ＨＭＤの利用環境が特定の国であることがＧＰＳ等によって検出されたときに、その国に応じて定められた機能を変更するようにしてもよい。例えば、ＨＭＤにおける使用言語を変更すること、ＨＭＤにおいて表示される長さ、質量などの使用単位を変更すること、ＨＭＤの無線機器の出力制限を変更すること等を行うことができる。
【手続補正１６】
【補正対象書類名】明細書
【補正対象項目名】０１０８
【補正方法】変更
【補正の内容】
【０１０８】
Ｅ−４．変形例４：
上記各実施形態では、機能を変更する方法として、アプリケーション層５１０に含まれる要素、（例えば、カメラアプリ５１３）を変更したり、フレームワーク層５２０に含まれる要素、例えば、音声処理部フレーム５２３）を変更していたが、これらに換えて、ライブラリー層５３０に含まれる要素を変更したり、カーネル層５４０に含まれる要素を変更したり、ハードウェア層５５０に含まれる要素を変更したりしてもよい。